(57)【要約】【課題】本発明は、鶏本来の育成機能の回復を図り、栄養源の吸収効率の向上と排泄物の正常化更に肥料化の効率向上に寄与し、併せて公害発生防止を図り、健全なる調和のとれた自然環境の下で鶏を飼育することを可能とした畜産システムを提供するものである。【解決手段】本発明の畜産システムは、鶏舎１０内の鶏に飼料サイロ１１から飼料添加物を添加した配合飼料を与える過程と、鶏舎１０内の鶏にエネルギー励起され植物系の活性触媒液が添加された飲料水を与える過程と、鶏舎１０内の鶏の排泄物と発酵調整剤とを混合し、堆肥舎１７に送り込む過程と、前記鶏舎１０内、堆肥舎１７に各々消臭・除菌・防塵洗浄剤を噴霧又は散布する過程と、堆肥舎１７に送り込まれた排泄物を所定の間隔で切り返し移送し、腐植有機質肥料を得る過程とを含むことを特徴とするものである。【選択図】図１
2004129540.tif 000002
【特許請求の範囲】
【請求項１】
鶏舎内の鶏に飼料サイロから飼料添加物を添加した配合飼料を与える過程と、
鶏舎内の鶏にエネルギー励起され植物系の活性触媒液が添加された飲料水を与える過程と、
鶏舎内の鶏の排泄物と発酵調整剤とを混合し、堆肥舎に送り込む過程と、
前記鶏舎内、堆肥舎に各々消臭・除菌・防塵洗浄剤を噴霧又は散布する過程と、
堆肥舎に送り込まれた排泄物を所定の間隔で切り返し移送し、腐植有機質肥料を得る過程と、
を含むことを特徴とする畜産システム。
【請求項２】
オガクズ、籾殻が敷設され飼料添加物を添加して床材とし、床材上に豚用の給餌箱及び給水箱を設置し、下部に排水管を設置し、前記床材の下層、中層上層を所定の温度分布に保持して構成した豚舎内に、飼料タンクから飼料添加物を添加した配合飼料を与える過程と、
豚舎内の豚にエネルギー励起され植物系の活性触媒液が添加された飲料水を与える過程と、
前記豚舎内に消臭・除菌・防塵洗浄剤を噴霧又は散布する過程と、
前記豚舎内の豚の排泄物を前記床材により腐植させて腐植有機質肥料を得る過程と、
を含むことを特徴とする畜産システム。
【請求項３】
オガクズ、籾殻が敷設され飼料添加物を添加して床材とし、牛用の給餌箱及び給水箱を設置し、下部に排水管を設置し、前記床材の下層、中層上層を所定の温度分布に保持して構成した牛舎内の牛に飼料タンクから飼料添加物を添加した配合飼料を与える過程と、
牛舎内の牛にエネルギー励起され植物系の活性触媒液が添加された飲料水を与える過程と、
牛舎内の牛からの排泄物と、発酵調整剤と、前記を排水管からの排水とを混合し、堆肥舎に送り込む過程と、
前記牛舎内、堆肥舎に各々消臭・除菌・防塵洗浄剤を噴霧又は散布する過程と、
堆肥舎に送り込まれた排泄物を所定の間隔で切り返し移送する過程と、
を含み、牛舎内の床材の発酵による腐植有機質肥料と、前記堆肥舎からの腐植有機質肥料の双方を得ることを特徴とする畜産システム。
【発明の詳細な説明】
【発明の属する技術分野】
本発明は、鶏、豚、牛等の家畜類の養育とこれらの排泄物の有効な肥料化に優れた機能を発揮し、且つ、公害発生防止を図った斬新な畜産システムに関するものである。
【従来の技術】
従来、例えば、現状の養鶏業で最も気を配られているのが、飼育場の環境管理、臭気と排泄物の処理、更にこれに伴う健康管理ではないかと推察される。
すなわち、採卵鶏、ブロイラーを問わず、飼育場の環境管理は、家畜の排泄物法の施行により適切な管理が義務づけられ、これに反すると厳しい罰則まで設けられている。これまでの養鶏業の経緯をみると、鶏舎の改造、飼料の配合、排泄物の処理、生産性と採算等それぞれ個々に研究されてきてはいるが、実際はこれらすべて関連している訳でありながら総合的飼育法についての資料が極めて乏しい感がある。
また、養豚業に着目すると、養豚畜舎内の最近の床構造は、スノコ方式が多く、従来のコンクリート又はオガクズ床、籾殻床は数少なくなっている。
豚糞のボロ出しと床洗い、床材の入れ換え等の作業の煩わしさからスノコ方式という省力型が普及したものと堆察されるが、発生する糞尿、汚濁廃水の水質濃度は極限に達し、処理施設は当然ながら過負荷状態となり、高度の処理技術の必要性と、更には悪臭公害対策も含めた新たな問題提起に直面しているのが現状である。
養豚業で最大の難点は、糞尿汚濁廃水の処理であることは周知の通りで、この処理法如何によって事業の経営が大きく左右されている。
現に豚の糞尿、汚濁廃水処理は、その規制が法制化されているが、現実この親制をクリアーすることができる適性な処理費用と技術を提供できる設備業者はいないと思われる。
汚濁廃水の水質濃度が高くなるに伴い、その処理内容が複雑化してきているが、当然ながら高度の処理技術とこれに拘わる費用で、ますます経営を苦しめる事態となっている。
更に、牛の場合も、現状で最も気を配られているのが牛の健康管理と牛舎内及び周辺の環境対策、排泄物の処理ではないかと推察される。
特に、牛の排泄物に関しても、家畜排泄物法の施行により適切な管理が義務づけられ、これに反すると罰則が科せられる等非常に厳しくなっている。
これまでの牛の飼育技術に関する研究の経緯をみると、牛舎の改造、飼料の配合、排泄物の処理、生産性と採算等それぞれ個々の狭い範囲での研究資料ばかりが目立ち、総合的な畜産の飼育技術についての研究資料が極めて少ないのは非常に寂しい感がある。
【発明が解決しようとする課題】
上述したように、従来の畜産業においては種々の困難な問題があり、鶏、豚や牛等の家畜類の畜産経営が厳しい状況におかれていることは、自然の生態系を無視し狭義の技術にこだわり過ぎてきたことの結果ではないかと推察される。
本発明は、上記従来の実情に鑑み開発されたものであり、家畜類本来の育成機能の回復を図り、栄養源の吸収効率の向上と排泄物の正常化更に肥料化の効率向上に寄与し、併せて公害発生防止を図り、健全なる調和のとれた自然環境の下で家畜類を飼育することを可能とした鶏、豚、牛等の家畜類の斬新な畜産システムを提供することを目的とする。
【課題を解決するための手段】
上記課題を解決するために、請求項１記載の畜産システムは、鶏舎内の鶏に飼料サイロから飼料添加物を添加した配合飼料を与える過程と、鶏舎内の鶏にエネルギー励起され植物系の活性触媒液が添加された飲料水を与える過程と、鶏舎内の鶏の排泄物と発酵調整剤とを混合して、堆肥舎に送り込む過程と、前記鶏舎内、堆肥舎に各々消臭・除菌・防塵洗浄剤を噴霧又は散布する過程と、堆肥舎に送り込まれた排泄物を所定の間隔で切り返し移送し、腐植有機質肥料を得る過程とを含むことを特徴とするものである。
この発明によれば、鶏の健全なる健康管理（品質向上）を図ることができ、消臭・除菌・防塵洗浄剤の作用による鶏舎は勿論のこと周辺への臭気公害も解消され、更には排泄物の肥料化についても高品質の腐植有機質肥料が生産されることから鶏の品質向上と併せて養鶏経営の効率改善を実現できる。
請求項２記載の畜産システムは、オガクズ、籾殻が敷設されて飼料添加物を添加して床材とし、床材上に豚用の給餌箱及び給水箱を設置して、下部に排水管を設置し、前記床材の下層、中層上層を所定の温度分布に保持して構成した豚舎内に、飼料タンクから飼料添加物を添加した配合飼料を与える過程と、豚舎内の豚にエネルギー励起され植物系の活性触媒液が添加された飲料水を与える過程と、前記豚舎内に消臭・除菌・防塵洗浄剤を噴霧又は散布する過程と、前記豚舎内の豚の排泄物を前記床材により腐植させて腐植有機質肥料を得る過程と、を含むことを特徴とするものである。
この発明によれば、豚が食べる餌の吸収消化促進と、脂肪の溶解分散が促進され豚の肌、毛並みが良くなり、光透過性の高い良質な肉質をもつ健康な豚を生産でき、更に、床材の下層部から腐植有機質肥料「完熟豚肥（商標）」を得ることができるとともに、前記消臭・除菌・防塵洗浄剤の作用で豚舎及びその周辺の環境が改善され、公害防止も図ることができる。
請求項３記載の畜産システムは、オガクズ、籾殻が敷設され飼料添加物を添加して床材とし、牛用の給餌箱及び給水箱を設置し、下部に排水管を設置し、前記床材の下層、中層上層を所定の温度分布に保持して構成した牛舎内の牛に飼料タンクから飼料添加物を添加した配合飼料を与える過程と、牛舎内の牛にエネルギー励起され植物系の活性触媒液が添加された飲料水を与える過程と、牛舎内の牛からの排泄物と、発酵調整剤と、前記を排水管からの排水とを混合し、堆肥舎に送り込む過程と、前記牛舎内、堆肥舎に各々消臭・除菌・防塵洗浄剤を噴霧又は散布する過程と、堆肥舎に送り込まれた排泄物を所定の間隔で切り返し移送する過程とを含み、牛舎内の床材の発酵による腐植有機質肥料と、前記堆肥舎からの腐植有機質肥料の双方を得ることを特徴とするものである。
この発明によれば、牛の健全なる健康管理（品質向上）を図ることができ、消臭・除菌・防塵洗浄剤による作用で牛舎は勿論のこと周辺への臭気公害も解消され、更には汚水処理施設も大幅に省力化することが可能となる。また、排泄物の肥料化についても高品質の腐植有機質肥料が生産されることから家畜の品質向上と併せて畜産経営の効率改善を実現することができる。
【発明の実施の形態】
以下に本発明の実施の形態について詳細に説明する。
（実施の形態１）
図１は本発明の実施の形態１の畜産システムの構成を示す概略ブロック図である。
本実施の形態１の畜産システムは、概説すると、鶏の健康管理と鶏舎の環境管理（臭気対策と排泄物対策）をより充実化するために検討された畜産システムである。
本畜産システムの最大の特徴は、鶏に与えられる飼料と飲料水の構造及びその機能を整えて、鶏本来の育成機能の回復を図り、栄養源の吸収効率の向上と排泄物の正常化更に肥料化の効率向上を実現し、公害発生も防止して健全なる調和のとれた自然環境の下で鶏を飼育することを可能した畜産システムにあると言える。
本畜産システムの構成は、与えられる飲料水及び飼料の生理的代謝機能−栄養素の消化吸収効率−に関与するエネルギー指数を高揚させる処方と、排泄物の処理−肥料化−に関与するエネルギーの指数を高揚させる処方の二つの処理法を組み合わせた総合的、且つ、相乗的効果を図るように設計されている。
以下に本畜産システムについて詳述する。
本畜産システムは、図１に示すように、例えば２棟の鶏舎１０内の鶏に、飼料サイロ１１から飼料添加物を添加しエネルギー指数を高めた配合飼料を与える過程と、鶏舎１０内の鶏に飲料水タンク１３に貯留した飲料水を励起部「ＶＩＣＭＡ　（商標）ＷＡＴＥＲ　ＳＹＳＴＥＭ／ナイアス（商標）の注入装置」１４でエネルギー励起し（エネルギー指数を高め）、且つ、植物系の活性触媒液を添加して与える過程と、鶏舎１０内から排泄物タンク１９に排出される鶏の排泄物と、発酵剤（調整剤）タンク１６からの発酵調整剤とを混合器１８内で混合し、堆肥舎１７に送り込む過程と、前記鶏舎１０内、堆肥舎１７に対して洗浄剤タンク１５から各々消臭・除菌・防塵洗浄剤を噴霧又は散布する過程と、堆肥舎１７に送り込まれた排泄物を所定の間隔（１０〜１５日サイクル）で切り返し移送し、製品である腐植有機質肥料（完熟鶏肥）を得る過程とを含むものである。
前記励起部（ＶＩＣＭＡ　ＷＡＴＥＲ　ＳＹＳＴＥＭ）１４には、図示しないが流体浄化器とナイアスを自動定量供給する機器が搭載されている。また、ナイアスとは植物系の活性触媒液である（厚生労働省告示昭３４第３７０号清涼飲料水の規格基準適合官保衛指令第４７−１号：ＪＲＡ健康食品選定品昭５５．２．９付医薬品等薬物検査成績表）。
前記洗浄剤タンク（ＶＩＣＭＡ　ＣＬＥＡＮ　ＳＹＳＴＥＭ）１５は、洗浄水系にセットするノンジャーム（商標）の注入装置であり、ＶＩＣＭＡ　ＶＵＰ（商標）とノンジャームを自動定量供給する機器が組み込まれている。
前記配合飼料の生理的代謝機能のエネルギー指数高揚については、飼料添加剤「バイオゼオライト」３〜５ｗｔ％又は「メタボリックパウダー（商標）（ＪＡＲ（財）競争馬理化学研所指定の飼料添加剤（競馬研第３１８９号）」０．１〜０．３ｗｔ％添加することにより行う。
バイオゼオライトは、植物系蛋白質から精製された酵素類を主体とした飼料添加剤メタボリックパウダーと、有用土壌薗類、助剤として炭酸塩をゼオライトに含浸させたものである。
メタボリックパウダーは、飼料の栄養価を高めると同時に、鶏の腸内細菌の秩序を整えて、消化・吸収効率を高め、更に野性的生命力（生命体のメタボリズム：代謝調節／Ｒｅｇｕｌａｔｉｏｎ　ｉｎ　Ｍｅｔａｂｏｌｉｓｕｍ）を復活させて、健全なる育成と病気に対する抵抗力を強化させる触媒的要素を有するものである。
前記有用土壌菌と炭酸塩は、整腸作用と抗熱ストレス効果及び病気に対する予防と調整機能があり、メタボリックパウダーと併用にすることにより、飼料のエネルギー指数及び生命体のエネルギー指数とも相乗的効果を齎し、健全な飼育と成果が期待される。
勿論、配合飼料は有効に消費され、また健全なる排泄物が排泄されるから臭気も緩和され、腐植も促進されて鶏舎内及び周辺環境も大幅に改善され公害発生防止を図ることができる。このように配合飼料については、生化学的観点から微生物類、酵素類等の利用と、ミネラルの機能、生体の代謝機能の回復を図る等、総合的にエネルギー指数の高揚を図るものである。
配合飼料のエネルギー指数とは、鶏自体の代謝機能、すなわち、栄養素の吸収と消化のエネルギーを指数で表したものである。配合飼料の成分比率がどうあろうとも餌自体のエネルギーが弱ければ栄養素は充分には摂取できない。絵に書いた餅の例えになってしまう。鶏自体の代謝機能が活発になるような配合飼料であれば、エネルギー指数は高いと評価出来るわけである。従って、配合飼料のエネルギー指数を高揚させることは、与えた配合飼料が有効に消費されることを意味する。
前記飲料水の生理的代謝機能のエネルギー指数の高揚については、従来化学的指標、物理的指標、波動的指標等いろいろの角度から良い飲料水の指標を求めているが、本畜産システムでは、波動的指標に基ずき、生体システム内の高度に構造化された水の波動に最も近似した波動を効率よく飲料水に放射してエネルギー指数の高揚を図るものである。
飲料水のエネルギー指数を高揚させることは、水本来の生理的機能が向上し動物の生体を強化し生命活動を活発化する活性効果と、病原菌等病気に対する抵抗力が強化されることを意味する。
水は地球の命と言われており、また、すべてのあらゆる生物も水の尊さを知っている。エネルギー指数の高い自然水を好むことは鶏の場合も同じである。
本発明の畜産システムにおいては、「ＶＩＣＭＡ　ＶＵＰ」を飲料水タンクに設置する。
ここでＶＩＣＭＡとは、価値創造の造語で自然界の調和を表し、ＶＵＰ（Ｖａｌｕｅ　Ｕｌｔｒａ　Ｐｅｎｅｔｒａｔｉｏｎ）は、「価値ある超貫通物性体」を意味する。ＶＩＣＭＡ　ＶＵＰは、太陽からのエネルギーを吸収し蓄え、更に放射する機能がある。
本畜産システムにおいて、ＶＵＰ本体の形状は、直径５０ｍｍ×長さ３２０ｍｍのステンレス製パイプで、中に放射体が収納されている。ＶＵＰから放射される「収束性波動エネルギー」により、飲料水のエネルギーは励起されてそのエネルギー指数を高め、水本来の機能（自然水の機能）を限りなく復元させることができる。また、前記収束性波動エネルギーは、水、空気、ガス、燃料油、電気等、あらゆる流体のエネルギー指数を高揚する機能を有している。
次に、鶏舎１０内から排泄物タンク１９に排出される鶏の排泄物と、発酵剤タンク１６からの発酵調整剤とを混合器１８内で混合し、堆肥舎１７に送り込む過程、消臭・除菌・防塵処理の過程及び肥料化の過程について詳述する。
鶏の排泄物の処理−肥料化−に関与するエネルギー指数の高揚に関して、従来排泄物の肥料化は、天日乾燥、火力乾燥、発酵堆肥等、いろいろな方法で処理されてきているが、乾燥又は発酵の過程で発生する悪臭と、土壌に散布した後に発生する悪臭が周辺の環境公害として問題となっている。
鶏糞は未消化分が多く、また水分も多いので腐敗菌の繁殖は著しく、しかも鶏糞独特な悪臭の発生、また、ハエ、ウジ等の発生を伴うことから、養鶏場そのものが臭気公害の発生源となってしまっているのが現状である。
鶏の糞尿に関する臭気対策と肥料化についての文献を検索してみると、数多くの報告が見られるが、飲料水・飼料−排泄物−肥料化の相互関係からの報告が少ないように思われる。
その内容を分類してみると、飼料添加剤の効用、排泄物の水分調整法、微生物による糞の発酵促進法等となり、部分的な視野からの報告が多く見られる。
本畜産システムでは、飲料水・飼料のエネルギー指数の高揚により、排泄物の性状は大幅に改善され、臭気の発生も少なく、また含水率も低くなる。
従って、肥料化処理条件は大半満たされるが、安定した最適な発酵条件を整えるために水分調整と粒状化処理、発酵促進、臭気と除菌洗浄等あらゆる角度から対策を施し、高品質のエネルギー指数の高い肥料の生産を目標とする。
具体的には、排泄物の水分調整と粒状化処理による発酵促進と臭気対策を行う。鶏の排泄物を発酵処理する場合、含水率と形状が最も大きな要因であることは前述の通りであるが、その最適条件とは含水率６０％前後、形状は好気性発酵を考慮して粒状化し、通気性を図る等の処理をすれば、条件は満たされ、熟成期間も短縮され、安定した良質の肥料が生産されることになる。
本発明の畜産システムでは、発酵調整剤として、焼成腐植土を主材とした土壌改良材「リソイル（商標）」又はバクテリア・コンパウンド「ＢＣ−７（商標）」を添加する。
土壌改良材リソイルは、多孔質の焼成腐植土を主材としているので、水分の調整機能に優れ、また粒状化と団粒化を形成することから通気佳のある構造となり、微生物の繁殖も活発になり安定した発酵が促進される。
従来からオガクズ、籾殻、わら等が水分調整材として使用されているが、微生物の繁殖が理想どおりにならない難しさがある。
本畜産システムにおいて、リソイルを、排泄物の含水率に応じて添加し、切り返しながら混合すれば、適度に粒状化・団粒化し、通気性、保水性、保温性等を有用微生物の繁殖に適した環境を整えることができる。
排泄物の平均的な含水率は７５％程度であるが、本畜産システムの場合、７０％前後と平均値を下回ることができ、リソイルの添加量は２〜５ｗｔ％を目安とする。またバクテリア・コンパウンドの添加量は３〜５ｗｔ％を目安とする。
本畜産システムにおいて、前記鶏舎１０内、堆肥舎１７に対して洗浄剤タンク１５から各々消臭・除菌・防塵洗浄剤（ノンジャーム　登録商標）を噴霧又は散布する（ノンジャームは、厚生省告示昭４８年第９８号　食品、添加物等の規格基準の第−Ａ洗浄剤成分規格適合品である）。
ノンジャームは、無公害の植物系（発酵酵素類）消臭・除菌効果のある洗浄剤である。
アンモニア、メルカプタン、硫化水素等の悪臭を分解除去する機能と、細菌類の除薗洗浄、油脂類の溶解洗浄機能に優れ、更に堆肥化の微生物類の繁殖活動を助長する効果がある。また、ハエ、ウジ、蚊等の発生を防ぎ、除塵効果もあり飼育環境の改善を図ることができる。
散布要領として、排泄物の堆肥化の場合には、リソイル添加時とその後は切り返し作業終了後表面に散布する。鶏舎内、堆肥舎内の環境整備を図る場合は、毎日一、二回噴霧すれば改善される。
一回当たりの散布量の基準は、原液１ｃｃ／表面積１００ｍ２当たりが目安である。また、散布する場合は原液を５０００乃至１００００倍に希釈して噴霧する。噴霧量は例えば、（原液１０ｃｃ／希釈水１００リットル）／１０００ｍ２の割合である。
前記堆肥舎１７における堆肥化時の切り返し作業は、１０〜１５日毎に実施すれば概ね２〜３ヶ月で腐植有機質肥料（完熟鶏肥）が出来上がる。なお、前記堆肥舎１７から得られる腐植有機質肥料の一部は混合器１８に返送される。
以上が、本実施の形態１の畜産システムによる鶏の健康管理と養鶏場の環境管理（臭気対策と排泄物対策）の内容である。
本実施の形態１によれば、鶏の健全なる健康管理（品質向上）と、鶏舎は勿論のこと周辺への臭気公害も解消され、更には排泄物の肥料化についても高品質の腐植有機質肥料が生産されることから鶏の品質向上と併せて養鶏経営の一助となる利点がある。
（実施の形態２）
次に、実施の形態２である養豚に関する畜産システムについて説明する。
本畜産システムは、豚の健康管理と畜舎内及び周辺環境管理をより充実化するための飼育法である。近年、養豚事業は経営悪化と環境保全強化に伴う糞尿汚濁廃水処理（窒素、りん規制を含む）と臭気対策費の増大で二重の苦汁を飲んでいるのが実状である。
本飼育システムの最大のメリットは、第一に飼育環境改善による健全なる育成と、肉質の向上、第二は、糞尿汚濁廃水処理施設の簡素化による処理費用の大幅な節減、第三に臭気の発生が極減し畜舎内及び周辺環境の公害防止対策が結果的に図られることである。
本畜産システムでは、豚舎内の床にオガタズ、籾殻、土壌等を混合したものを敷き詰め、この床材の中で豚の排泄物をほぼ完全に処理することから、高額な糞尿汚濁廃水処理施設は必要としない。
また、従来の廃水処理施設に替えて豚舎内の床にその機能を移した構成であり床材の構造と既存の微生物類よる自浄態力の維持については、餌、飲み水と排泄物との関連性、洗浄水と生活環境との関連性等、あらゆる角度から鋭意研究してきた結果を集約したものである。
本実施の形態２の畜産システムは、具体的には図２に示すように、養豚に関するものであり、オガクズ、籾殻、土が敷設され、飼料添加物（メタボリックパウダー）を０．１〜０．３ｗｔ％を添加して厚さ１ｍ以上の床材２１とし、この床材２１上に豚用の給餌箱２２及び給水箱２７を設置し、下部に排水管２３を設置し、前記床材２１の下層、中層、上層を所定の温度分布に保持して豚を養育する豚舎２０を構成している。
所定の温度分布とは、前記床材２１を上層部、中層部、下層部に区分し、上層部は常温、中層部は〜４０℃、下層部は〜６０℃とするものである。適切な温度管理により、既存の微生物類による浄化もバランスを保って進行させることができる。
そして、飼料タンク２５から飼料添加物を添加した配合飼料を、豚舎２０内の給餌箱２２に与え豚に食べさせるとともに、飲料水タンク２６に貯留した飲料水を励起部１４で実施の形態１の場合と同様にしてエネルギー励起し（エネルギー指数を高め）、且つ、植物系の活性触媒液「ナイアス」を添加して豚舎２０内の給水箱２７に給水して豚に飲ませるようにしている。ナイアスの添加量は、１／１００００〜１／２０００（ｖｏｌ）である。
更に、飲料水タンク２６と接続した洗浄剤タンク１５から消臭・除菌・防塵洗浄剤「ノンジャーム」を豚舎２０内に噴霧又は散布するようにしている。
最終的に前記豚舎２０内の豚の排泄物を前記床材２１により腐植（微生物による豚の排泄物の浄化作用）させて、腐植有機質肥料（完熟豚肥）を得るものである。
前記床材２１の上層部は、適度の湿りを保ち、中層部から下層部は既存の微生物類により排泄物の浄化作用が活発に進むために温度は上昇する。適度の透水性、通気性を保持すれば、発酵肥料のエネルギー指数は高まり、床材２１の下層部から経１年程で腐植有機質肥料（完熟豚肥）を得ることができる。
本実施の形態２の畜産システムにおいて、前記豚舎２０内の豚の飼育面積としては、１〜１．２ｍ２／頭（約１ｍ３の床材２１の自浄態力から算出した数値）を適性飼育面積としている。
なお、本実施の形態２における配合飼料、飲料水のエネルギー指数の高揚に関する理論的根拠は、実施の形態１の場合と同様である。
本実施の形態２の畜産システムにおける豚（成豚１頭）の排泄物量と負荷量との関係を下記表１に、ＢＯＤ−ＳＳ負荷の関係を下記表２に示す。
【表１】
2004129540.tif 000003
【表２】
2004129540.tif 000004
但し、表１において、洗浄水を含めて１頭当たりの汚濁水量は１０ｋｇ／日とする。
本実施の形態２によれば、豚が食べる餌の吸収消化促進と、脂肪の溶解分散が促進されるとともに、活発な生命活動が促進されて、健全な育成と病気に対する抵抗力が強化される。この結果、豚の肌、毛並みが良くなり、光透過性の高い良質な肉質をもつ健康な豚が生産される。
更に、床材２１の下層部から経１年程で腐植有機質肥料（完熟豚肥）を得ることができるとともに、前記消臭・除菌・防塵洗浄剤の作用で豚舎２０及びその周辺の環境が改善され、公害防止も図ることができる。
（実施の形態３）
次に、実施の形態３である牛に関する畜産システムについて説明する。
本畜産システムは、牛の健康管理と牛舎内及び周辺に対する環境管理、臭気対策と排泄物対策の充実化を目標にして検討され構成された公害の発生しない健全なる畜産システムである。
本畜産システムの最大の特徴は、牛の飼育に最も適した牛の環境整備と、与えられる飲料水と飼料のエネルギー指数の高揚を図り、生物本来の育成機能の回復と栄養源の吸収効率の向上による牛の成長促進と健康管理、品質向上、排泄物の改質（未消化分の減少）更には肥料化の効率向上等が挙げらる。
極言すれば、健全なる調和のとれた自然環境の下で公害の発生しない牛の養育を可能とした畜産システムと言える。
本畜産システムの構成は、
１．牛舎の環境整備：特に床構造の改善、臭気対策と除菌洗浄
２．飲料水及び飼料の生理的代謝機能−栄養素の消化吸収機能−に関与するエネルギー指数を高揚させる処方
３．排泄物の処理−肥料化−に関与するエネルギー指数を高揚させる処方
以上大別して、本畜産システムは、上記３要素に重点をおき総合的、且つ、相乗的効果を図るように設計されている。
本畜産システムは、具体的には図３に示すように、オガクズ、籾殻、土が敷設され、飼料添加物「メタボリックパウダー」が添加され床材３１とし、牛用の給餌箱３２及び給水箱３３を設置し、下部に排水管３４を設置し、前記床材３１の下層、中層、上層を所定の温度分布に保持して構成した例えば２棟の牛舎３０内の牛に、飼料タンク３５からやはり実施の形態１の場合と同様飼料添加物「メタボリックパウダー」０．１〜０．３を添加した配合飼料を与えるようにしている。
また、牛舎３０内の給水箱３３に、飲料水タンク４３に貯留した飲料水を実施の形態１と同様な励起部１４でエネルギー励起し（エネルギー指数を高め）、且つ、植物系の活性触媒液「ナイアス」１／１００００〜１／２０００（ｖｏｌ）を添加して与えるようにしている。
更に、牛舎３０内から排出される牛の排泄物と、発酵剤タンク１６からの「リソイル」２〜５ｗｔ％又はバクテリア・コンパウンド「ＢＣ−７」３〜５ｗｔ％を添加した発酵調整剤と、前記排水管３４からの排水とを混合器３８内で混合し、堆肥舎３７に送り込むように構成している。これにより、発酵・分解促進を強化し完熟期間の短縮を図ることができる。
更に前記牛舎３０内、堆肥舎３７に対して各々実施の形態１と同様な洗浄剤タンク１５から消臭・除菌・防塵洗浄剤「ノンジャーム」を朝夕２回程度噴霧又は散布を行い、前記牛舎３０及びその周辺の消臭・除菌・防塵を行い、公害防止を図っている。ノンジャームの噴霧又は散布量は、５０００〜１００００倍の希釈液を１００ｃｃ／ｍ２の割合である。
そして、前記牛舎３０内の牛の排泄物を、前記床材３１により腐植（微生物による豚の排泄物の浄化作用）させて、腐植有機質肥料（完熟豚肥）を得るとともに、前記堆肥舎３７に送り込まれた排泄物を所定の間隔（１０〜１５日サイクル）で切り返し移送し、この前記堆肥舎３７からも製品である腐植有機質肥料「完熟牛肥（商標）」を得るものである。切り返しの後「ノンジャーム」を表面散布すれば発酵・分解はより一層強化され消臭効果も上がる。これにより、不快臭のない完熟腐植有機質肥料が生産される。
なお、前記堆肥舎３７から得られる腐植有機質肥料の一部は混合器３８に返送される。
以上が公害の発生しない本実施の形態３の畜産システムの全容で、この畜産システムにより、牛の健全なる健康管理（品質向上）と、牛舎は勿論のこと周辺への臭気公害も解消され、更には汚水処理施設も大幅に省力化することが可能となる。また、排泄物の肥料化についても高品質の有機肥料が生産されることから牛の品質向上と併せて畜産経営の一助となる利点がある。
【発明の効果】
本発明によれば、鶏の健全なる健康管理（品質向上）を図ることができ、消臭・除菌・防塵洗浄剤の作用による鶏舎は勿論のこと周辺への臭気公害も解消され、更には高品質の腐植有機質肥料が生産でき、鶏の品質向上と併せて養鶏経営の効率改善を実現できる畜産システムを提供できる。
また、本発明によれば、豚が食べる餌の吸収消化促進と、脂肪の溶解分散が促進され豚の肌、毛並みが良くなり、光透過性の高い良質な肉質をもつ健康な豚を生産でき、更に、床材の下層部から腐植有機質肥料（完熟豚肥）を得ることができるとともに、前記消臭・除菌・防塵洗浄剤の作用で豚舎及びその周辺の環境が改善され、公害防止も図ることができる畜産システムを提供できる。
更に、本発明によれば、牛の健全なる健康管理（品質向上）が図れ、消臭・除菌・防塵洗浄剤による作用で牛舎は勿論のこと周辺への臭気公害も解消され、更には排泄物の肥料化についても高品質の腐植有機質肥料が生産されることから牛の品質向上と併せて畜産経営の効率改善を実現することができる畜産システムを提供できる。
【図面の簡単な説明】
【図１】本発明の実施の形態１の畜産システムの構成を示す概略ブロック図である。
【図２】本発明の実施の形態２の畜産システムの構成を示す概略ブロック図である。
【図３】本発明の実施の形態３の畜産システムの構成を示す概略ブロック図である。
【符号の説明】
１０　鶏舎
１１　飼料サイロ
１３　飲料水タンク
１４　励起部
１５　洗浄剤タンク
１６　発酵剤タンク
１７　堆肥舎
１８　混合器
１９　排泄物タンク
２０　豚舎
２１　床材
２２　給餌箱
２３　排水管
２５　飼料タンク
２６　飲料水タンク
２７　給水箱
３０　牛舎
３１　床材
３２　給餌箱
３３　給水箱
３４　排水管
３５　飼料タンク
３７　堆肥舎
３８　混合器
４３　飲料水タンク
【図１】
2004129540.tif 000005
【図２】
2004129540.tif 000006
【図３】
2004129540.tif 000007